【事件の表示】
　平成　４年特許願第２５０６０６号「パチンコ機におけるパネル飾り」拒絶査定不服審判事件〔平成　６年　３月１５日出願公開、特開平　６−　７１０１４〕について、次のとおり審決する。
【結　論】
　本件審判の請求は、成り立たない。
【理　由】
１．手続の経緯・本願発明
　本願は、平成４年８月２６日の出願であって、その請求項１乃至３に係る発明は、審判請求に伴って提出された平成１３年７月２３日付けの手続補正書、平成１５年１２月５日付け（平成１５年１２月９日発送）の当審における拒絶理由通知書の指定期間内である平成１６年１月２７日に提出された手続補正書により補正された明細書及び図面の記載からみて、その特許請求の範囲の請求項１乃至３に記載された「パチンコ機におけるパネル飾り」にあると認められるところ、その請求項１に記載された発明（以下、「本願発明」という。）は次のとおりのものである。
【請求項１】　パチンコ機の遊技板の表面周縁部に設置されるパネル飾りであって、
　前記パネル飾りは、１つの合成樹脂製のベース体と、そのベース体の外郭に整合する天板を有する１つの半透明樹脂製のレンズ体と、前記パネル飾りのベース体とレンズ体との間に収納された表示ランプアッセンブリと、を備えてユニット化された状態で前記遊技板に設置可能に構成され、
　前記表示ランプアッセンブリには、前記遊技板の表面で各種情報を表示する表示ランプを有する表示ランプ基板に対する中継ぎ接続用基板が設けられ、
　前記中継ぎ接続用基板には中継ぎ端子が設けられる一方、
　前記ベース体には、前記中継ぎ端子に対応する位置において同中継ぎ端子が挿通可能な端子孔が設けられ、
　前記ベース体の端子孔に前記中継ぎ端子を挿通しかつ前記中継ぎ接続用基板を取り付けた状態では前記中継ぎ端子の先端部が前記ベース体の背面側に所定長さ突出し、
　前記パネル飾りを前記遊技板の表面に取り付けた状態では、前記中継ぎ端子が前記遊技板に貫設した嵌通孔に臨みかつ前記遊技板の背面側から前記中継ぎ接続用基板の中継ぎ端子に対する配線接続がなされる構成にし、
　前記ベース体の背面には、前記遊技板の表面に係着する釘部材を突出形成すると共に、その釘部材を、前記中継ぎ端子の突出部の近傍に位置して配置したことを特徴とするパチンコ機のパネル飾り。
　
２．当審が通知した拒絶の理由の概要
　当審が平成１５年１２月５日付け（平成１５年１２月９日発送）で通知した拒絶の理由の概要は、次のとおりである。
　
　本願の特許請求の範囲の請求項１及び２に記載された発明は、下記の刊行物に記載された発明に基づいて当業者が容易に発明をすることができたものと認められるので、特許法第２９条第２項の規定により特許を受けることができない。
　　　　　　　　　　　　　　　　記
　第１引用刊行物　：　特開平２−２６４６８２号公報
　第２引用刊行物　：　実願平１−１１９４６３号（実開平３−５８４７８号）のマイクロフィルム
　第３引用刊行物　：　実願昭６１−７６５８４号（実開昭６２−１８６７７０号）のマイクロフィルム
　第４引用刊行物　：　実願昭６３−１７０５３５号（実開平２−８９７７５号）のマイクロフィルム
　第５引用刊行物　：　実願平３−９３４７号（実開平４−９６８６１号）のマイクロフィルム
　
３．引用刊行物記載の発明
３．１　第１引用刊行物記載の発明
　当審の拒絶の理由に引用された、本願の出願日前である平成２年１０月２９日に頒布された第１引用刊行物（特開平２−２６４６８２号公報）には、図面と共に次の事項が記載されている。
（１−１）「パチンコ遊技機１の額縁状の前面枠２には、扉保持枠３が周設され、該扉保持枠３には、ガラス板４ａ，４ｂ（第２図参照）を有するガラス扉枠４及び前面扉板５が一側を軸支されて開閉自在に取り付けられている。ガラス扉枠４の後方であって、前記前面枠２の裏面の遊技盤取付枠２３（第６図参照）には、遊技盤１０が遊技盤取付具２４によって着脱自在に設けられている。」（第２ページ左下欄第５〜１３行）
（１−２）「遊技盤１０の表面には、発射された打玉を誘導し、且つ誘導された打玉が落下するための遊技領域１２と打玉の落下に関係ない非遊技領域１３とを区画する区画レール１１がほぼ円状に植立されている。」（第２ページ右下欄第６〜１０行）
（１−３）「非遊技領域１３には、この実施例の要部である合成樹脂製の表示装置２５が前記区画レール１１の上部から右側部に沿って配置されている。」（第３ページ左上欄第５〜８行）
（１−４）「パチンコ遊技機１の背面の構造について説明する。・・・入賞玉集合カバー体１７の裏面上部には、遊技盤１０に設けられるスイッチやランプ及び駆動源等から延びる配線を後述するコントロール基板２０との間で中継する中継端子基板１８が取り付けられている。この中継端子基板１８には、後述する表示装置２５に設けられるランプ３１、５８から延びる配線３３、６０も接続される。」（第３ページ左上欄第１０行〜同右上欄第１行）
（１−５）「パチンコ遊技機１の背面には、第６図において一点鎖線で示す機構板１９が開閉自在に取付けられている。・・・機構板１９の裏面下方には、前記遊技領域１２に設けられる可変表示装置１４、可変入賞球装置１５、遊技効果ランプ１６ａ〜１６ｆ、及び表示装置２５のランプ３１、５８の作動を制御する制御回路を含むコントロール基板２０が設けられている。」（第３ページ右上欄第２〜１３行）
（１−６）「第６図に示すように、遊技盤１０の上部には、ランプ挿通孔２１ａ〜２１ｃが形成され」（第３ページ右上欄第１４〜１５行）
（１−７）「表示装置２５は、前記したように区画レール１１の上部から右側部に沿った非遊技領域１３に配置されるもので、その上部ほぼ中央で左右に分離可能な右分割体２６と左分割体２７とで構成される。右分割体２６は、非遊技領域１３の上部中央から右側部、及び下部に至る「三日月」状に形成され、左分割体２７は、非遊技領域１３の上部中央から左側部上部までの「三角形」状に形成されるものである。」（第３ページ左下欄第９〜１７行）
（１−８）「右分割体２６は、透過性のない合成樹脂によって一体成型されるほぼ「三日月」状の右分割体本体２８と、該右分割体本体２８の内側に沿って被覆される第１表示カバー４３ａ〜４３ｃと、前記右分割体本体２８の上部曲折部に取り付けられる装飾具３６とから構成される。」（第３ページ左下欄第１９行〜同右下欄第４行）
（１−９）「右分割体本体２８には、前記区画レール１１に対向する側に沿ってランプ収納凹部２９が形成されている。このランプ収納凹部２９には、ランプ取付部３０が適宜間隔を置いて設けられている。ランプ取付部３０は、ランプ３１が一体的に設けられるランプ基板３２を保持するためのランプ基板取付片３０ａ，３０ｂとランプ基板保持片３０ｃ，３０ｄ（ただし、３０ｄは図示省略）とから構成され、ランプ基板取付片３０ａ，３０ｂは、その先端に係止爪を有してランプ基板３２を着脱自在に係止するものであり、ランプ基板保持片３０ｃ，３０ｄは、ランプ基板３２の側方に当接してランプ基板３２を保持するものである。なお、それぞれのランプ基板３２からはランプ配線３３が接続されており、このランプ配線３３が前記ランプ挿通孔２１ｃを介して中継端子基板１８に接続されている。このため、ランプ３１は、前記可変表示装置１４が特定の表示態様となって特定遊技状態になると点灯、あるいは点滅するようになっている。」（第３ページ右下欄第５行〜第４ページ左上欄第４行）
（１−１０）「右分割体本体２８の裏面には、遊技盤１０に穿設された位置決め穴８０（第２図参照）に嵌入して右分割体２６の位置を決定する位置決め突起４１ａ，４１ｂが突設されている。更に、右分割体２６を遊技盤１０表面にビスで取り付けるための取付穴４２ａ〜４２ｃも適宜間隔を置いて穿設されている。」（第４ページ左下欄第１０〜１６行）
（１−１１）「ランプ収納凹部２９には、透過性のある材料で構成される表示部としての第１表示カバー４３ａ〜４３ｃで被覆されるようになっている。第１表示カバー４３ａ〜４３ｃは、それぞれの内面にダイヤカットやローレットカットが施され、前記ランプ３１から発せられる光を散乱させるようになっている。そして、第１表示カバー４３ａ〜４３ｃは、遊技盤１０の表面に対して垂直な面と平行な面（遊技者が直接視認する面）とからなる断面「Ｌ」字の円弧状に形成され、それぞれが右分割体本体２８に取着穴５２ａ〜５２ｅを介してビスで固定されるようになっている。」（第４ページ左下欄第１７行〜同右下欄第８行）
（１−１２）「第１の表示カバー４３ｂ、４３ｃの表面には、透過性の材料で構成された第２表示カバー４９ａ〜４９ｃ（これも表示部を構成する）が止着されている。この第２表示カバー４９ａ〜４９ｃは、第１表示カバー４３ａ〜４３ｃとは異なる色の材料で形成され、その内面に光を散乱させるダイヤカット、あるいはローレットカット等の処理が施されている。」（第５ページ右上欄第８〜１５行）
（１−１３）「右分割体２６の位置決め突起４１ａ，４１ｂを遊技盤１０の位置決め穴８０に挿入して非遊技領域１３の上部中央から右側部に配置してビスを取着穴５２ａ〜５２ｅから螺着することにより遊技盤１０に固定され、」（第７ページ左上欄第９〜１３行）
（１−１４）「右分割体２６及び左分割体２７をそれぞれ組み立てた後に遊技盤１０に取り付ける」（第７ページ右上欄第１５〜１７行）
（１−１５）図面第１図には、右分割体本体２８に３個のランプ基板３２が取り付けられることが図示されている。
（１−１６）図面第１図及び第３図には、右分割体本体２８に設けられた孔を通ってランプ配線３３が右分割体本体２８表面側から裏面側に配設されることが図示されている。
　
　上記記載事項（１―１）乃至（１−１６）及び図面の記載によると、第１引用刊行物には、
「パチンコ遊技機１の遊技盤１０の表面に遊技領域１２と非遊技領域１３とを区画する区画レール１１がほぼ円状に植立され、前記区画レール１１の上部から右側部に沿って前記非遊技領域１３に配置される表示装置２５であって、
前記表示装置２５は、透過性のない合成樹脂製の右分割体本体２８と、前記右分割体本体２８に形成されたランプ収納凹部２９を被覆する内面にダイヤカットやローレットカットが施されランプから発せられる光を散乱させる第１表示カバー４３ａ〜４３ｃと、前記第１表示カバー４３ａ〜４３ｃの表面に止着され内面に光を散乱させるダイヤカットあるいはローレットカット等の処理が施された透過性の材料で構成された第２表示カバー４９ａ〜４９ｃと、前記ランプ収納凹部２９に設けられたランプ取付部３０に保持されるランプ３１が一体的に設けられた３個のランプ基板３２とを備え、組み立てられた後に遊技盤１０に取り付けられる右分割体２６を有し、
入賞玉集合カバー体１７の裏面上部には、遊技盤１０に設けられるスイッチやランプ及び駆動源等から延びる配線をコントロール基板２０との間で中継する中継端子基板１８が設けられ、
前記ランプ基板３２には、前記中継端子基板１８に接続されるランプ配線３３が接続される一方、
前記右分割体本体２８にはランプ配線３３が挿通可能な孔が設けられ、
前記右分割体２６を前記遊技盤１０の表面に取り付けた状態では、前記ランプ配線３３が遊技盤１０に形成されたランプ挿通孔２１ｃを介して前記中継端子基板１８に接続されるように構成し、
右分割体本体２８の裏面には、前記遊技盤１０に穿設された位置決め穴８０に嵌入して位置を決定する位置決め突起４１ａ、４１ｂが突設され、右分割体２６を遊技盤１０表面にビスで取り付けるための取付穴４２ａ〜４２ｃが穿設されているパチンコ遊技機１の表示装置２５。」
の発明（以下、「第１引用刊行物記載の発明」という。）が記載されていると認められる。
　
３．２　第２引用刊行物の記載
　当審の拒絶の理由に引用された、本願の出願日前である平成３年６月６日に頒布された第２引用刊行物（実願平１−１１９４６３号（実開平３−５８４７８号）のマイクロフィルム）には、図面と共に次の事項が記載されている。
（２−１）「遊技盤の表面に設けられたガイドレールの外側に配設されるパチンコ機用ランプ飾りに関する」（第１ページ第１４〜１６行）
（２−２）「ランプ飾り２０は、第２図乃至第４図に示すように取付本体２１ａと、この取付本体２１ａの前面に重合される第一の装飾カバー２１ｂ及び第二の装飾カバー２１ｃとにより構成される。」（第４ページ第２〜５行）
（２−３）「ランプ基板１１には、・・・表示ランプ１２が取付けられると共に、リード線１３が出されており、このリード線１３の先端に設けられたコネクタ１４が透孔２１４ａに嵌合止着されている。」（第４ページ第１５〜１９行）
（２−４）「取付本体２１ａの裏面の上下位置には、遊技盤５に形成された嵌合孔１６に合致する断面十字状の嵌合突起２２１ａが一体に突設される。」（第５ページ第１０〜１３行）
（２−５）「第一，第二の装飾カバー２１ｂ，２１ｃは、それぞれ異なった色に着色された透明な合成樹脂により形成される。」（第５ページ第１６〜１８行）
（２−６）「第一の装飾カバー２１ｂは、取付本体２１ａの右隅角部分に重合され、第二の装飾カバー２１ｃは、第一の装飾カバー２１ｂを除く部分に重合される。」（第５ページ第１８行〜第６ページ第１行）
　
３．３　第３引用刊行物の記載
　当審の拒絶の理由に引用された、本願の出願日前である昭和６２年１１月２７日に頒布された第３引用刊行物（実願昭６１−７６５８４号（実開昭６２−１８６７７０号）のマイクロフィルム）には、図面と共に次の事項が記載されている。
（３−１）「本考案はパチンコ機の遊技盤に取付けられるランプを備えた取付基板に関する。」（第１ページ第１５〜１６行）
（３−２）「本考案に係る取付基板は、他の取付基板のランプへ分岐させて配線するための配線コード接続用の接続端子を設けた」（第３ページ第９〜１１行）
（３−３）「本考案に係る取付基板は、中継端子盤からの配線によるだけでなく、取付基板の前記接続端子どうしを配線コードでつなぐことによる電源からの配線ができるようになっている。」（第３ページ第１４〜１８行）
（３−４）「取付基板（１）のプリント配線回路（７）には、中継端子盤（３３）に配線される配線コード（８）の一端が接続されている。」（第５ページ第２〜４行）
（３−５）「本考案に係る取付基板は・・・入賞表示ランプ等を備えた取付基板等にも適用することができる。」（第６ページ第１５〜１８行）
（３−６）「第１図及び第４図に示す実施例のように取付基板（１）の裏側に突出し、プリント配線回路（７）と電気的に接続されるピンを設け、このピンに接続するコネクタ（１５）を一端に備えた配線コード（８）でつなぐ」（第７ページ第５〜９行）
　
３．４　第４引用刊行物の記載
　当審の拒絶の理由に引用された、本願の出願日前である平成２年７月１７日に頒布された第４引用刊行物（実願昭６３−１７０５３５号（実開平２−８９７７５号）のマイクロフィルム）には、図面と共に次の事項が記載されている。
（４−１）「回路基板のランド面に対し垂直に立設した端子ピン」（第２ページ第１１〜１２行）
（４−２）「外部回路と接合する外部接続用端子を金属シールドケースに固着し、・・・回路基板のランドと電気的に接続する」（第２ページ第１７行〜第３ページ第１行）
　
３．５　第５引用刊行物の記載
　当審の拒絶の理由に引用された、本願の出願日前である平成４年８月２１日に頒布された第５引用刊行物（実願平３−９３４７号（実開平４−９６８６１号）のマイクロフィルム）には、図面と共に次の事項が記載されている。
（５−１）「セラミック基板に形成された印刷回路の外部端子を引出すランドにおいて、ステムに植設されたリード端子とセラミック基板の端子ランドを半田付けし」（第３ページ第２７〜２９行）
　
４．対比・判断
４．１　対比
　本願発明と第１引用刊行物記載の発明を対比すると、第１引用刊行物記載の発明における「パチンコ遊技機１」、「遊技盤１０」、「区画レール１１の上部から右側部に沿って前記非遊技領域１３に配置される」、「表示装置２５の右分割体２６」、「透過性のない合成樹脂製の右分割体本体２８」、「内面にダイヤカットやローレットカットが施されランプから発せられる光を散乱させる第１表示カバー４３ａ〜４３ｃと、前記第１表示カバー４３ａ〜４３ｃの表面に止着され内面に光を散乱させるダイヤカットあるいはローレットカット等の処理が施された透過性の材料で構成された第２表示カバー４９ａ〜４９ｃ」、「ランプ収納凹部２９に設けられたランプ取付部３０に保持されるランプ３１が一体的に設けられた３個のランプ基板３２」、「組み立てられた後に遊技盤１０に取り付けられる」、「ランプ３１が一体的に設けられたランプ基板３２」が、本願発明における「パチンコ機」、「遊技板」、「遊技板の表面周縁部に設置される」、「パネル飾り」、「１つの合成樹脂製のベース体」、「レンズ体」、「パネル飾りのベース体とレンズ体との間に収納された表示ランプアッセンブリ」、「ユニット化された状態で前記遊技板に設置可能に構成され」、「遊技板の表面で各種情報を表示する表示ランプを有する表示ランプ基板」に、それぞれ対応する。
　よって、次の一致点において両者の構成は一致し、次の各相違点において両者の構成は相違する。
　
（一致点）
パチンコ機の遊技板の表面周縁部に設置されるパネル飾りであって、
　前記パネル飾りは、１つの合成樹脂製のベース体と、レンズ体と、前記パネル飾りのベース体とレンズ体との間に収納され、遊技板の表面で各種情報を表示する表示ランプを有する表示ランプ基板を有する表示ランプアッセンブリと、を備えてユニット化された状態で前記遊技板に設置可能に構成されたパチンコ機のパネル飾りである点。
　
（相違点１）
　レンズ体が、本願発明においてはベース体の外郭に整合する天板を有する１つの半透明樹脂製であるのに対し、第１引用刊行物記載の発明においては、ベース体（右分割体本体２８）に形成されたランプ収納凹部２９を被覆する第１表示カバー４３ａ〜４３ｃと、前記第１表示カバー４３ａ〜４３ｃの表面に止着される第２表示カバー４９ａ〜４９ｃとにより構成され、その材質が不明である点。
　
（相違点２）
　表示ランプアッセンブリには、本願発明においては、表示ランプ基板に対する中継ぎ接続用基板が設けられているのに対し、第１引用刊行物記載の発明においては、中継ぎ接続用基板に相当する構成が設けられているか否かが不明りょうである点。
　
（相違点３）
　表示ランプ基板への配線接続構造として、本願発明においては、中継ぎ接続用基板に中継ぎ端子が設けられる一方、ベース体には、前記中継ぎ端子に対応する位置において同中継ぎ端子が挿通可能な端子孔が設けられ、前記ベース体の端子孔に前記中継ぎ端子を挿通しかつ前記中継ぎ接続用基板を取り付けた状態では前記中継ぎ端子の先端部が前記ベース体の背面側に所定長さ突出し、パネル飾りを遊技板の表面に取り付けた状態では、前記中継ぎ端子が前記遊技板に貫設した嵌通孔に臨みかつ前記遊技板の背面側から前記中継ぎ接続用基板の中継ぎ端子に対する配線接続がなされる構成にしているのに対し、第１引用刊行物記載の発明においては、表示ランプ基板（ランプ基板３２）にランプ配線３３が接続され、ベース体（右分割体本体２８）には前記ランプ配線３３が挿通可能な孔が設けられ、パネル飾り（右分割体２６）を遊技板（遊技盤１０）の表面に取り付けた状態では、遊技板（遊技盤１０）に形成されたランプ挿通孔２１ｃを介して前記ランプ配線３３が中継端子基板１８に接続されるように構成している点。
　
（相違点４）
　パネル飾りを遊技板表面へ取り付けるための構造に関して、本願発明においては、ベース体の背面において中継ぎ端子の突出部の近傍に位置して配置され、遊技板の表面に係着する釘部材を突出形成しているのに対し、第１引用刊行物記載の発明においては、ベース体（右分割体本体２８）裏面に突設された位置決め突起４１ａ、４１ｂが遊技板（遊技盤１０）に穿設された位置決め穴８０に嵌入して位置決めをするものの、パネル飾り（右分割体２６）の遊技板（遊技盤１０）表面への取り付けは、ビスで行う点。
　
４．２　判断
４．２．１　相違点１について
　第２引用刊行物には、第一，第二の装飾カバー２１ｂ，２１ｃを着色された透明な合成樹脂により形成することが記載されている（特に、上記摘記事項（２−５）を参照。）。前記第一，第二の装飾カバー２１ｂ，２１ｃは、本願発明におけるパネル飾りのレンズ体に対応するものであり、着色された透明な合成樹脂は半透明樹脂であると認められる。
　また、第２引用刊行物には、第一，第二の装飾カバー２１ｂ，２１ｃを本願発明におけるベース体に対応する取付本体２１ａに重合させることも記載されており（特に、上記摘記事項（２−２）、（２−６）を参照。）、第２引用刊行物の第２乃至４図の記載を参照すると、第一，第二の装飾カバー２１ｂ，２１ｃを合体させたものの外郭は、取付本体２１ａの外郭に整合するものと認められる。
　そして、レンズ体をいくつの部材で構成するかは、当業者が必要に応じて適宜設定し得る設計的事項であり、しかも、本願発明のように１つの部材で構成することで、格別な作用効果を奏するとは認められない。
　よって、第１引用刊行物記載の発明におけるレンズ体に代えて第２引用刊行物に記載されたレンズ体を採用し、相違点１における本願発明の構成を得ることは、当業者であれば容易に想到し得るものである。
　
４．２．２　相違点２について
　第１引用刊行物の第３図には、表示装置２５の背面図が示されている。同図において、右分割体２６の上部、中部、下部にはランプ取付部３０が記載され、各ランプ取付部３０にはランプ基板３２を示唆する略四角形状のものが記載され、上部のランプ取付部３０に位置する略四角形状のものと中部のランプ取付部３０に位置する略四角形状のものとの間、中部のランプ取付部３０に位置する略四角形状のものと下部のランプ取付部３０に位置する略四角形状のものとの間には、配線を示唆する線が記載され、中部のランプ取付部３０に位置する略四角形状のものにはランプ配線３３が接続されていることが記載されている。
　よって、第１引用刊行物の第３図の記載は、中部のランプ基板３２に、上部のランプ基板３２及び下部のランプ基板３２に対する配線を行うための中継用の基板として機能を持たせることを示唆しているものと認められる。
　また、第３引用刊行物には、ランプを備えた取付基板同志を配線コードで接続し、１つの取付基板のみを中継端子盤に接続することが記載されている（特に、上記摘記事項（３−２）、（３−３）を参照。）。
　してみると、第１引用刊行物記載の発明における中部のランプ基板３２を上部及び下部のランプ基板３２に対する配線を行うための中継ぎ接続用基板として、上記相違点２における本願発明の構成を得ることは、当業者であれば容易に想到し得るものである。
　
４．２．３　相違点３について
　第３引用刊行物には、ランプを備えた取付基板への配線構造として、取付基板（１）の裏側に突出したピンを設け、このピンに配線コード（８）の一端に備えられたコネクタ（１５）を接続することが記載されている（特に、上記摘記事項（３−６）を参照。）。そして、前記ピンは、本願発明における中継ぎ端子に対応するものと認められる。
　また、容器内に収納される基板に対して外部から電気的接続を行うための構造として、容器外に延びる端子を基板に設け、該端子を介して基板に対する電気的接続を行うことは、第４引用刊行物に金属シールドケースに固着し回路基板のランドに接続した外部接続用端子が、第５引用刊行物にステムに植設されると共にセラミック基板の端子ランドに半田付けされたリード端子が記載されているように周知技術であるので、
　してみると、第１引用刊行物記載の発明における表示ランプ基板（中部のランプ基板３２）に接続されたランプ配線３３に代えて第３引用刊行物に記載されたピンを採用して中継ぎ端子とし、その際、上記周知技術のように基板に設けた端子が容器外に延びるようにするために、ベース体（右分割体本体２８）に設けられた前記ランプ配線３３が挿通可能な孔を中継ぎ端子が挿通可能な端子孔としてベース体（右分割体本体２８）の中継ぎ端子に対応する位置に設けて前記ベース体の端子孔に前記中継ぎ端子を挿通しかつ前記表示ランプ基板（中部のランプ基板３２）を取り付けた状態では前記中継ぎ端子の先端部が前記ベース体の背面側に所定長さ突出するようにし、パネル飾り（右分割体２６）を遊技板（遊技盤１０）の表面に取り付けた状態で前記遊技板の背面側から前記中継ぎ端子に対する配線接続がなされるようにするために、前記ランプ配線３３が通過する遊技板（遊技盤１０）に形成されたランプ挿通孔２１ｃに加えて前記遊技板の前記中継ぎ端子が臨む位置に嵌通孔を貫設し、上記相違点３における本願発明の構成を得ることは、当業者であれば容易に想到し得るものである。
　
４．２．４　相違点４について
　第１引用刊行物の図面第１図の記載を参酌すると、第１引用刊行物記載の発明における位置決め突起４１ａ及び取付孔４２ｂは、中部のランプ取付部３０及び右分割体本体２８に設けられたランプ配線３３が挿通可能な孔の近傍に配置されているものと認められる。
　第２引用刊行物には、パチンコ機用ランプ飾りの取付本体２１ａの裏面に突設した断面十字状の嵌合突起２２１ａにより、ランプ飾りを遊技盤５に取り付けることが記載されている（特に、上記摘記事項（２−４）を参照。）。そして、前記嵌合突起２２１ａは、本願発明における釘部材に対応するものと認められる。
　第１、第２引用刊行物記載の発明は共にパチンコ機のパネル飾りに関するものであるので、第１引用刊行物記載の発明におけるベース体（右分割体本体２８）裏面に突設された位置決め突起４１ａ、４１ｂとビスを用いたランプ飾り（右分割体２６）の遊技板表面への取付構造に代えて、第２引用刊行物に記載された釘部材（嵌合突起２２１ａ）を用いた取付構造を採用し、上記相違点４における本願発明の構成を得ることは、当業者であれば容易に想到し得るものである。
　ところで、請求人は平成１６年１月２７日提出の意見書において、「ベース体の背面に突出形成した釘部材を、中継ぎ端子の突出部の近傍に位置して配置することで、ベース体、レンズ体及び表示ランプアッセンブリを備えてユニット化されたパネル飾りを、遊技板に取り付ける前の状態で運搬・保管する場合、釘部材によって中継ぎ端子を保護することができ、中継ぎ端子に物が当たって折損される不具合を軽減することができる」と主張している。
　しかし、本願発明において釘部材を中継ぎ端子の突出部に対してどの程度の近傍に位置して配置するのかは明らかではない。そして、明細書の実施例の記載を参照しても、上部ベース１３のビス受け１９ａに隣接した位置に端子孔２０が貫設され、上部ベース１３のビス受け１９ｂに近接する背面側に釘部材２２Ａを突出させることが記載されている（明細書段落【０００９】、【００１０】参照。）ものの、釘部材と中継ぎ端子（端子孔）との位置関係を規定する記載があるとは認められない。
　また、釘部材によって中継ぎ端子を保護するためには、釘部材と中継ぎ端子との位置関係のみならず、釘部材及び中継ぎ端子のベース体からの突出量も影響するものと認められるが、明細書の実施例の記載を参照しても、釘部材２２Ａが上部ベース１３から所定の長さ突出すること、中継ぎ端子３８が上部ベース１３の背面側に形成された所定の高さのボス部２１から所定の長さ突出することが記載されている（明細書段落【０００９】、【００１０】、【００１４】参照。）ものの、釘部材と中継ぎ端子との突出量の関係を規定する記載があるとは認められない。
　そうすると、第１引用刊行物記載の発明に第２引用刊行物に記載された釘部材を用いた取付構造を適用すると、本願発明と同様の効果を奏するものといえる。
　
４．２．５　本願発明の作用効果について
　本願発明の作用効果は、第１乃至第３引用刊行物記載の発明及び上記周知技術に基づいて当業者が容易に予測できるものである。
　
４．２．６　まとめ
　よって、本願発明は、上記第１乃至第３引用刊行物に記載された発明及び上記周知技術に基づいて当業者が容易に発明をすることができたものである。
　
５．むすび
　したがって、本願請求項１に係る発明は、第１乃至第３引用刊行物に記載された発明及び上記周知技術に基づいて当業者が容易に発明をすることができたものであり、特許法第２９条第２項の規定により特許を受けることができないので、本願請求項２及び３に係る発明について検討するまでもなく、本願は拒絶すべきものである。
　よって、結論のとおり審決する。